(57)【要約】【課題】従来よりも軽量化が可能で、ヨーヨーの回転性能を損なうことが無い上に、ヨーヨーの動きに合わせて音楽を奏でることができ、従来よりも演出効果を高めることができ、特にヨーヨーを用いたパフォーマンスに最適なヨーヨー型電子楽器を提供する。【解決手段】ヨーヨー型電子楽器は、ヨーヨー１２の回転を検出することが可能な回転検出手段１２ａと、検出情報を無線で外部に送信することが可能な無線送信手段１２ｂと、回転検出手段１２ａおよび無線送信手段１２ｂに電力を供給することが可能な電力供給手段１２ｃと、を内蔵するヨーヨー１２を備える。また、ヨーヨー型電子楽器は、無線送信手段１２ｃによって送信された検出情報を無線で受信することが可能な無線受信手段１４ｄと、検出情報に基づいてＭＩＤＩメッセージを生成することが可能なＭＩＤＩメッセージ生成手段１４ｅと、ＭＩＤＩメッセージに基づいて音を出力することが可能なＭＩＤＩ対応機器１６およびスピーカ１８と、を有する。【選択図】図２
2015025843.tif 000002
【特許請求の範囲】
【請求項１】
ヨーヨーの動きに応じて音を出力することが可能なヨーヨー型電子楽器であって、
前記ヨーヨーは、
前記ヨーヨーの動きを検出することが可能な動作検出手段と、
前記動作検出手段によって検出された検出情報を無線で外部に送信することが可能な無線送信手段と、
前記動作検出手段および前記無線送信手段に電力を供給することが可能な電力供給手段と、を少なくとも内蔵し、
前記無線送信手段によって送信された前記検出情報を無線で受信することが可能な無線受信手段と、
前記無線受信手段によって受信された前記検出情報に基づいてＭＩＤＩメッセージを生成することが可能なＭＩＤＩメッセージ生成手段と、
前記ＭＩＤＩメッセージ生成手段によって生成された前記ＭＩＤＩメッセージに基づいて音を出力することが可能な音声出力手段と、を有する、
ことを特徴とするヨーヨー型電子楽器。
【請求項２】
請求項１に記載のヨーヨー型電子楽器であって、
前記動作検出手段は、前記ヨーヨーの回転を検出することが可能な回転検出手段であり、
前記検出情報は、前記ヨーヨーが回転中であるか停止中であるかを識別可能な情報であり、
前記ＭＩＤＩメッセージ生成手段は、前記ヨーヨーが回転中である場合と前記ヨーヨーが停止中である場合とで異なる前記ＭＩＤＩメッセージを生成可能である、
ことを特徴とするヨーヨー型電子楽器。
【請求項３】
請求項１または２に記載のヨーヨー型電子楽器であって、
前記ヨーヨーとして、第１のヨーヨーと第２のヨーヨーを少なくとも備え、
前記ＭＩＤＩメッセージ生成手段は、前記第１のヨーヨーに対応する検出情報と前記第２のヨーヨーに対応する検出情報の各々に基づいて異なる前記ＭＩＤＩメッセージを生成可能である、
ことを特徴とするヨーヨー型電子楽器。
【発明の詳細な説明】
【技術分野】
【０００１】
本発明は、ヨーヨーの動きに応じて所望の音楽を奏でることができるヨーヨー型電子楽器に関する。
【背景技術】
【０００２】
従来、ヨーヨーの動きに応じて光や音を出力するように構成されたヨーヨー型電子楽器が広く知られている（例えば、特許文献１参照）。
【先行技術文献】
【特許文献】
【０００３】
【特許文献１】登録実用新案第３０１４６１３号公報
【発明の概要】
【発明が解決しようとする課題】
【０００４】
しかしながら、従来のヨーヨー型電子楽器は、発光装置や発音装置をヨーヨー内部に収容する必要があるため、ヨーヨーの軽量化が難しく、ヨーヨーの回転性能を損なうといった問題点があった。
【０００５】
また、音や光が出力可能であるものの、単調な音や光しか出力することができないため、演出効果が低く、ヨーヨーを用いたパフォーマンスなどには不向きであった。
【０００６】
本発明は、このような従来の問題点を解決するためになされたものであって、従来よりも軽量化が可能で、ヨーヨーの回転性能を損なうことが無い上に、ヨーヨーの動きに合わせて音楽を奏でることができ、従来よりも演出効果を高めることができ、特にヨーヨーを用いたパフォーマンスに最適なヨーヨー型電子楽器を提供することを目的とする。
【課題を解決するための手段】
【０００７】
本発明は、ヨーヨーの動きに応じて音を出力することが可能なヨーヨー型電子楽器であって、前記ヨーヨーは、前記ヨーヨーの動きを検出することが可能な動作検出手段と、前記動作検出手段によって検出された検出情報を無線で外部に送信することが可能な無線送信手段と、前記動作検出手段および前記無線送信手段に電力を供給することが可能な電力供給手段と、を少なくとも内蔵し、前記無線送信手段によって送信された前記検出情報を無線で受信することが可能な無線受信手段と、前記無線受信手段によって受信された前記検出情報に基づいてＭＩＤＩメッセージを生成することが可能なＭＩＤＩメッセージ生成手段と、前記ＭＩＤＩメッセージ生成手段によって生成された前記ＭＩＤＩメッセージに基づいて音を出力することが可能な音声出力手段と、を有する、ことを特徴とするヨーヨー型電子楽器である。
【発明の効果】
【０００８】
本発明に係るヨーヨー型電子楽器は、従来よりも軽量化が可能で、ヨーヨーの回転性能を損なうことが無い上に、ヨーヨーの動きに合わせて音楽を奏でることができ、従来よりも演出効果を高めることができ、特にヨーヨーを用いたパフォーマンスに最適である。
【図面の簡単な説明】
【０００９】
【図１】ヨーヨー型電子楽器１０の構成例を示した概要図である。
【図２】ヨーヨー型電子楽器１０の内部構成の一例を示したブロック図である。
【図３】ＭＩＤＩメッセージ生成処理の流れを示したフローチャートである。
【図４】変形例に係るＭＩＤＩメッセージ生成処理の流れを示したフローチャートである。
【発明を実施するための形態】
【００１０】
以下、図面を用いて、本発明の実施の形態に係るヨーヨー型電子楽器１０について詳細に説明する。
【００１１】
＜全体構成＞
最初に、図１と図２を用いて、本発明の実施の形態に係るヨーヨー型電子楽器１０の全体構成について説明する。なお、図１は、ヨーヨー型電子楽器１０の構成例を示した概要図であり、図２は、ヨーヨー型電子楽器１０の内部構成の一例を示したブロック図である。
【００１２】
ヨーヨー型電子楽器１０は、ヨーヨー１２と、このヨーヨー１２から受信した情報に基づいてＭＩＤＩ（Musical Instrument Digital Interface)メッセージを生成・送信するＭＩＤＩコントローラ１４と、このＭＩＤＩコントローラ１４から受信したＭＩＤＩメッセージに基づいて音声信号を生成・送信するＭＩＤＩ対応機器１６と、このＭＩＤＩ対応機器１６から受信した音声信号に基づいて音を出力するスピーカ１８と、を有して構成される。
【００１３】
なお、本発明に係るヨーヨー型電子楽器の構成は、例示したヨーヨー型電子楽器１０の構成に限定されるものではなく、例えば、ＭＩＤＩコントローラ１４、ＭＩＤＩ対応機器１６、およびスピーカ１８の全てまたは一部を、スマートフォンやタブレットなどの携帯端末によって実現してもよい。また、ＭＩＤＩ対応機器１６は、ＭＩＤＩメッセージに基づいて音楽の演奏を行う専用機器（例えば、電子楽器、カラオケ機）に限定されるものではなく、ＭＩＤＩ再生機能を備えた汎用機器（例えば、パソコン、携帯端末）も含まれる。
【００１４】
＜ヨーヨー＞
次に、ヨーヨー１２について説明する。ヨーヨー１２は、玩具の一種であり、一対の回転体を連結する軸にひもの一端を巻きつけ、ひもの他端を持って釣り上げ、回転の反動によって回転体を上下させて遊ぶための玩具である。
【００１５】
図２に示すように、ヨーヨー型電子楽器１０のヨーヨー１２は、回転検出手段１２ａと、この回転検出手段１２ａから入力される検出情報を無線信号として外部に送信する無線送信手段１２ｂと、回転検出手段１２ａや無線送信手段１２ｂに電力を供給する電力供給手段１２ｃと、を有して構成される。
【００１６】
＜ヨーヨー／回転検出手段＞
回転検出手段１２ａは、ヨーヨー１２の回転を検出するための手段である。本例では、回転検出手段１２ａとして、ヨーヨー１２の内部に収容可能な加速度センサを用いる。なお、回転検出手段１２ａは、加速度センサに限定されるものではなく、例えば、角速度センサ（ジャイロセンサ）などを適用してもよいし、２種類以上のセンサを併用して回転検出の精度をさらに高めてもよい。ただし、ヨーヨー型電子楽器１０に適用するものとしては、ヨーヨー１２の回転性能を損なわないように、ヨーヨー１２の内部に収容できる程度の大きさを有するもの、軽量なものが好ましい。
【００１７】
＜ヨーヨー／無線送信手段＞
無線送信手段１２ｂは、回転検出手段１２ａが出力する検出信号（アナログ信号）を入力し、この検出信号をＡ／Ｄ変換して検出情報（デジタル値）に変換した後に、この検出情報を無線通信によって外部に送信するための手段である。本例では、無線送信手段１２ｂとして、ヨーヨー１２の内部に収容可能なＺｉｇＢｅｅ（ジグビー）規格の無線モジュールを用いる。なお、検出情報を無線で送信するための無線通信規格は、ＺｉｇＢｅｅに限定されるものではなく、Ｂｌｕｅｔｏｏｔｈ（登録商標）など、他の無線通信規格を適用してもよい。
【００１８】
＜ヨーヨー／電力供給手段＞
電力供給手段１２ｃは、回転検出手段１２ａや無線送信手段１２ｂに電力を供給するための手段である。本例では、電力供給手段１２ｃとして、ヨーヨー１２の内部に収容可能なリチウムイオンポリマーバッテリーを用いる。なお、電力供給手段１２ｃは、リチウムイオンポリマーバッテリーに限定されず、例えば、リチウムイオンバッテリー、ニッケル水素バッテリーなどの他のバッテリー（二次電池）を適用してもよい。ただし、ヨーヨー型電子楽器１０に適用するものとしては、ヨーヨー１２の回転性能を損なわないように、ヨーヨー１２の内部に収容できる程度の大きさを有するもの、軽量なもの、長時間の電力供給が可能なものが好ましい。
【００１９】
＜ＭＩＤＩコントローラ＞
次に、ＭＩＤＩコントローラ１４について説明する。ＭＩＤＩコントローラ１４は、ヨーヨー１２から受信した検出情報に基づいてＭＩＤＩメッセージを生成・送信するための装置である。
【００２０】
図２に示すように、ＭＩＤＩコントローラ１４は、コントローラ全体を制御するＣＰＵ１４ａと、制御プログラムや各種データを記憶するためのＲＯＭ１４ｂと、一時的にデータを記憶するためのＲＡＭ１４ｃと、ヨーヨー１２の無線送信手段１２ｂから送信される検出情報を無線通信によって受信する無線受信手段１４ｄと、この無線受信手段１４ｄが受信した検出情報に基づいてＭＩＤＩメッセージを生成・送信するＭＩＤＩメッセージ生成手段１４ｅと、を有して構成される。
【００２１】
本例では、ＭＩＤＩコントローラ１４の制御部として、ＲＯＭやＲＡＭを内蔵したワンチップマイコンを適用する。なお、本例では、ＭＩＤＩコントローラ１４を、ＭＩＤＩ対応機器１６やスピーカ１８と別体としているが、例えば、ＭＩＤＩコントローラ１４をＭＩＤＩ対応端末１６に内蔵してもよい。
【００２２】
＜ＭＩＤＩコントローラ／無線受信手段＞
無線受信手段１４ｄは、ヨーヨー１２の無線送信手段１２ｂから送信される検出情報を無線通信によって受信するための手段である。本例では、無線受信手段１４ｄとして、ＺｉｇＢｅｅ（ジグビー）規格の無線モジュールを用いる。なお、検出情報を無線で送信するための無線通信規格は、ＺｉｇＢｅｅに限定されるものではなく、Ｂｌｕｅｔｏｏｔｈ（登録商標）など、他の無線通信規格を適用してもよい。
【００２３】
＜ＭＩＤＩコントローラ／ＭＩＤＩメッセージ生成手段＞
ＭＩＤＩメッセージ生成手段１４ｅは、無線受信手段１４ｄが受信した検出情報に基づいてＭＩＤＩメッセージを生成・送信するための手段である。本例では、ＲＯＭ１４ｂに予め記憶される制御プログラム（ソフトウェア）で実現する。なお、ＭＩＤＩメッセージ生成手段１４ｅはソフトウェアに限定されるものではなく、同等の機能をハードウェア（電子回路など）で実現してもよい。
【００２４】
図３は、ＭＩＤＩメッセージ生成手段１４ｅによって実行されるＭＩＤＩメッセージ生成処理の流れを示したフローチャートである。ＭＩＤＩコントローラ１４は、電源が投入されてリセット状態が解除された場合に、ＲＯＭ１４ｂに予め記憶される制御プログラムを読み出すことで、このＭＩＤＩメッセージ生成処理のステップＳ１０１から処理を開始する。
【００２５】
最初に、ステップＳ１０１では初期設定を行う。この初期設定では、例えば、ＲＡＭ１４ｃの初期化、各種変数や各種レジスタの初期設定などを行う。次のステップＳ１０２では、無線受信手段１４ｄが外部から検出情報を受信したか否かを判定し、検出情報を受信した場合には次のステップＳ１０３に進み、検出情報を受信していない場合には、ステップＳ１０２の判定処理を繰り返し実行することで検出情報の受信待ちとなる。
【００２６】
ステップＳ１０３では、無線受信手段１４ｄが受信した検出情報を取得してＣＰＵ１４ａの内部レジスタに一時保存し、次のステップＳ１０４では、ステップＳ１０３で保存した検出情報に基づいて、ヨーヨー１２の動作状態（本例では、ヨーヨー１２が回転しているか否か）を判定する。当該判定の結果、ヨーヨー１２が回転していると判定した場合にはステップＳ１０５に進み、ヨーヨー１２が停止していると判定した場合にはステップＳ１０６に進む。
【００２７】
ここで、本例では、無線受信手段１４ｄが受信した検出情報（デジタル値）が、予め定めた数値範囲内である場合に、「ヨーヨー１２が回転している」と判定し、予め定めた数値範囲外である場合に、「ヨーヨー１２が停止している」と判定するように構成している。
【００２８】
なお、ヨーヨー１２の動作状態は、「回転」か「停止」に限定されるものではなく、例えば、「回転」の動作状態を、さらに「加速中」と「定速回転」に細分化してもよいし、「回転」の動作状態を、ヨーヨー１２の回転速度に応じて複数段階（例えば、低速回転中、中速回転中、高速回転中の３段階）に細分化してもよい。
【００２９】
ステップＳ１０５では、ＭＩＤＩ対応機器１６に対して、回転用のＭＩＤＩメッセージ（ヨーヨー１２が回転しているときに出力させたい音の情報）を出力し、ステップＳ１０６では、ＭＩＤＩ対応機器１６に対して、停止用のＭＩＤＩメッセージ（ヨーヨー１２が停止しているときに出力させたい音の情報）を出力する。なお、ＭＩＤＩメッセージは複数のバイトで構成され、ノートオフ（音を止める命令）、ノートオン（音を鳴らす命令）などの命令や、ノートナンバー（音の高さ）、べロシティ（音の強弱）などのパラメータをＭＩＤＩ対応機器１６に送信することが可能である。
【００３０】
ここで、本例では、１つの演奏曲を複数のＭＩＤＩメッセージで構成しており、ステップＳ１０５とステップＳ１０６では、処理を実行する度に、一または複数のＭＩＤＩメッセージを予め定められた順番で出力するように構成している。したがって、１つの演奏曲をヨーヨー１２の動作状態に応じたランダムなタイミングで出音することが可能であり、意外性のある演奏を行うことができる。
【００３１】
以上説明したように、本実施形態に係るヨーヨー型電子楽器１０は、ヨーヨー（例えば、ヨーヨー１２）の動きに応じて音を出力することが可能なヨーヨー型電子楽器であって、前記ヨーヨーは、前記ヨーヨーの動き（例えば、回転）を検出することが可能な動作検出手段（例えば、回転検出手段１２ａ）と、前記動作検出手段によって検出された検出情報を無線で外部に送信することが可能な無線送信手段（例えば、無線送信手段１２ｂ）と、前記動作検出手段および前記無線送信手段に電力を供給することが可能な電力供給手段（例えば、電力供給手段１２ｃ）と、を少なくとも内蔵し、前記無線送信手段によって送信された前記検出情報を無線で受信することが可能な無線受信手段（例えば、無線受信手段１４ｄ）と、前記無線受信手段によって受信された前記検出情報に基づいてＭＩＤＩメッセージを生成することが可能なＭＩＤＩメッセージ生成手段（例えば、ＭＩＤＩメッセージ生成手段１４ｅ）と、前記ＭＩＤＩメッセージ生成手段によって生成された前記ＭＩＤＩメッセージに基づいて音を出力することが可能な音声出力手段（例えば、ＭＩＤＩ機器１６、スピーカ１８）と、を有する、ことを特徴とするヨーヨー型電子楽器である。
【００３２】
本実施形態に係るヨーヨー型電子楽器によれば、ヨーヨーに動作検出手段、無線送信手段、電力供給手段のみを内蔵すれば良く、検出情報を無線で送信することができ、通信線が不要となるため、従来よりも軽量化が可能で、ヨーヨーの回転性能（回転速度、回転の安定性など）を損なうことが無い。また、ヨーヨーから送信される検出情報に基づいて音を出力することができるため、ヨーヨーの動きに合わせて音楽を奏でることができ、従来よりも演出効果を高めることができる。特にヨーヨーを用いたパフォーマンスに最適である。
【００３３】
また、前記動作検出手段は、前記ヨーヨーの回転を検出することが可能な回転検出手段（例えば、回転検出手段１２ａ）であり、前記検出情報は、前記ヨーヨーが回転中であるか停止中であるかを識別可能な情報であり、前記ＭＩＤＩメッセージ生成手段は、前記ヨーヨーが回転中である場合と前記ヨーヨーが停止中である場合とで異なるＭＩＤＩメッセージを生成可能であってもよい。
【００３４】
このような構成とすれば、ヨーヨーの回転と停止に応じて音を変化させることができるため、ヨーヨーの使い方（回転と停止のタイミング）によって出音のタイミングなどを変化させることができる。このため、意外性のある音を出力することができる上に、ヨーヨーの動きと音の変化を同期させることができ、演出効果をより一層、高めることができる。
【００３５】
＜変形例＞
次に、図４を用いて、上記図３に示したＭＩＤＩメッセージ生成処理の変形例について説明する。なお、図４は、変形例に係るＭＩＤＩメッセージ生成処理の流れを示すフローチャートである。
【００３６】
この変形例に係るＭＩＤＩメッセージ生成処理は、上記図３に示すＭＩＤＩメッセージ生成処理のステップＳ１０４〜Ｓ１０６の処理に代えて、ステップＳ２０１〜Ｓ２０７の処理を適用したものである。また、この変形例では、ヨーヨー１２として、第１のヨーヨーと第２のヨーヨーの２種類を備えており、各々のヨーヨーが備える無線送信手段１２ｂが送信する検出情報には、各々のヨーヨーを識別するための識別情報（ＩＤ情報）が含まれている。
【００３７】
ステップＳ２０１では、ステップＳ１０３で保存した検出情報に含まれる識別情報に基づいて、当該検出情報の送信元が、第１のヨーヨーであるか第２のヨーヨーであるかを判定する。当該判定の結果、第１のヨーヨーであると判定した場合にはステップＳ２０２に進み、第２のヨーヨーであると判定した場合にはステップＳ２０５に進む。
【００３８】
ステップＳ２０２〜Ｓ２０４では、第１のヨーヨーの動作状態（回転、停止）に合わせてＭＩＤＩメッセージを生成・送信する処理を行い、ステップＳ２０５〜Ｓ２０７では、第２のヨーヨーの動作状態（回転、停止）に合わせてＭＩＤＩメッセージを生成・送信する処理を行う。なお、ステップＳ２０２〜Ｓ２０４およびＳ２０５〜Ｓ２０７の処理は、上述のステップＳ１０４〜Ｓ１０６の処理と同じであるため、その説明は省略する。
【００３９】
この変形例のように、前記ヨーヨーとして、第１のヨーヨーと第２のヨーヨーを少なくとも備え、前記ＭＩＤＩメッセージ生成手段は、前記第１のヨーヨーに対応する検出情報と前記第２のヨーヨーに対応する検出情報の各々に基づいて異なる前記ＭＩＤＩメッセージを生成可能であってもよい。
【００４０】
このような構成とすれば、複数のヨーヨーの動作状態に応じて、個別に音を変化させることができ、演出効果をより一層、高めることができる。特に、ヨーヨーを用いた複数人によるパフォーマンスに最適である。
【００４１】
なお、本発明に係るヨーヨー型電子楽器の構成は、上記実施の形態に係るヨーヨー型電子楽器１０の構成に限定されるものではなく、例えば、無線受信手段、ＭＩＤＩメッセージ生成手段、音声出力手段を一つの電子機器（例えば、スマートフォンやタブレットなどの携帯端末）で実現してもよい。
【００４２】
また、本発明に係る動作検出手段は、前記ヨーヨーの回転を検出することが可能な回転検出手段に限定されるものではなく、例えば、前記ヨーヨーの傾き、進行方向、地上からの高さなどを検出可能としてもよく、これらの傾き、進行方向、地上からの高さなどに基づいてＭＩＤＩメッセージを生成してもよい。また、３種類以上のヨーヨーを備え、各々のヨーヨーに対応する検出情報に基づいて、相異なるＭＩＤＩメッセージを生成可能としてもよい。
【００４３】
また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【００４４】
本発明に係るヨーヨー型電子楽器は、ヨーヨーを用いた単独または複数人によるパフォーマンス等に適用することができる。
【符号の説明】
【００４５】
１０  ヨーヨー型電子楽器
１２  ヨーヨー
１２ａ  回転検出手段
１２ｂ  無線送信手段
１２ｃ  電源供給手段
１４  ＭＩＤＩコントローラ
１４ａ  ＣＰＵ
１４ｂ  ＲＯＭ
１４ｃ  ＲＡＭ
１４ｄ  無線受信手段
１４ｅ  ＭＩＤＩメッセージ生成手段
１６  ＭＩＤＩ対応機器
１８  スピーカ
【図１】
2015025843.tif 000003
【図２】
2015025843.tif 000004
【図３】
2015025843.tif 000005
【図４】
2015025843.tif 000006